(57)【要約】【課題】効率よくデータを伝送し、途中で途切れることなくデータを円滑に再生するための送信装置および受信装置並びに通信システムを提供する。【解決手段】送信すべきデータから所定パラメータの値を検出する検出部１４１と、検出部１４１が検出したパラメータにおいて、送信すべきデータの再生時間に対する勾配の大きさを求め、勾配の大きさが所定のしきい値を超えたタイミングを取得する取得部１４２と、取得部１４２が取得したタイミングから取得部１４２が次に取得するタイミングまで、送信すべきデータの容量を低減する処理を施す送信前処理部１４３，１４４と、送信前処理部１４３，１４４によって処理が施された送信すべきデータを送信する送信部１２１とを有する。【選択図】図５
2009206687.tif 000002
【特許請求の範囲】
【請求項１】
送信すべきデータから所定パラメータの値を検出する検出部と、
前記検出部が検出した前記パラメータにおいて、前記送信すべきデータの再生時間に対する勾配の大きさを求め、前記勾配の大きさが所定のしきい値を超えたタイミングを取得する取得部と、
前記取得部が取得した前記タイミングから前記取得部が次に取得するタイミングまで、前記送信すべきデータの容量を低減する処理を施す送信前処理部と、
前記送信前処理部によって処理が施された送信すべきデータを送信する送信部と
を有することを特徴とする送信装置。
【請求項２】
前記送信すべきデータは、動画像データであって、
前記所定パラメータは、輝度レベルである
ことを特徴とする請求項１記載の送信装置。
【請求項３】
前記取得部は、
前記輝度レベルの勾配の大きさが前記所定のしきい値を超えた時点でのフレームを取得する
ことを特徴とする請求項２記載の送信装置。
【請求項４】
前記送信前処理部は、
前記送信すべきデータを周波数データに変換する
ことを特徴とする請求項１から３のいずれか一に記載の送信装置。
【請求項５】
前記送信前処理部は、
画素単位で処理を行う
ことを特徴とする請求項１から４のいずれか一に記載の送信装置。
【請求項６】
送信装置が所定の処理を施し、送信したデータを受信する受信部と、
前記受信部が受信したデータを、前記送信装置が施した所定の処理に対応した復元を行い、再生可能な処理を行う再生前処理部と、
前記再生前処理部によって処理されたデータを再生する再生部とを有する受信装置であって、
前記送信装置は、
送信すべきデータから所定パラメータの値を検出する検出部と、
前記検出部が検出した前記パラメータにおいて、前記送信すべきデータの再生時間に対する勾配の大きさを求め、前記勾配の大きさが所定のしきい値を超えたタイミングを取得する取得部と、
前記取得部が取得したタイミングから前記取得部が次に取得するタイミングまで、前記送信すべきデータの容量を低減する処理を施す送信前処理部と、
前記送信前処理部によって処理が施された送信すべきデータを送信する送信部と
を有することを特徴とする受信装置。
【請求項７】
送信装置と、受信装置とを有し、前記送信装置と前記受信装置とがネットワークに接続された通信システムであって、
前記送信装置は、
送信すべきデータから所定パラメータの値を検出する検出部と、
前記検出部が検出した前記パラメータにおいて、前記送信すべきデータの再生時間に対する勾配の大きさを求め、前記勾配の大きさが所定のしきい値を超えたタイミングを取得する取得部と、
前記取得部が取得したタイミングから前記取得部が次に取得するタイミングまで、前記送信すべきデータの容量を低減する処理を施す送信前処理部と、
前記送信前処理部によって処理が施された送信すべきデータを送信する送信部とを有し、
前記受信装置は、
送信装置が所定の処理を施し、送信したデータを受信する受信部と、
前記受信部が受信したデータを、前記送信装置が施した所定の処理に対応した復元を行い、再生可能な処理を行う再生前処理部と、
前記再生前処理部によって処理されたデータを再生する再生部と
を有することを特徴とする通信システム。
【発明の詳細な説明】
【技術分野】
【０００１】
本発明は、たとえば動画像データをネットワークを介して送受信する携帯電話機等の送信装置および受信装置並びに通信システムに関するものである。
【背景技術】
【０００２】
近年の携帯電話機等の無線通信端末において、音声データだけでなく、静止画像や動画像データの送受信が広く行われているのは周知である。様々なコンテンツが提供され、静止画や動画像データの容量が年々増加している。
【０００３】
携帯電話機等の無線通信端末は、低速のネットワーク（通信網）を介して種々のデータを伝送するため、大容量の動画像データ等を伝送する際には、通信チャネルの占有時間が長時間になり消費電力量が増大する不利益がある。
また、データの容量が増大するほど通信トラフィックが増大し、送受信時に行うデータ処理にも多大な負荷が掛かるため、円滑な動画像データの再生が困難になることがある。これは、ユーザの観点からしても非常に不利益である。
【０００４】
上述の不利益を解消するためには、如何に伝送するデータ量を低減させ、効率よくデータを伝送するかが問題となる。
そこで、データをフーリエ変換して送信し、送信するデータ量を半分にする方法（たとえば特許文献１を参照）や、フーリエ変換によって生じた実数部と虚数部を振幅値と位相値に変換し、振幅値に重きを置いて送信することで、位相値の送信データ量を低減させ、送信データ量の低減を行う方法（たとえば特許文献２を参照）が開示されている。
あるいは、送信しようとする画像を直接送信する代わりに、画像のヘッダに含まれる縮小画像を送信し、通信トラフィックを軽減する方法が開示されている（たとえば特許公報３を参照）。
【特許文献１】特開平６−１８９３７１号公報
【特許文献２】特許第２８８４６１２号公報
【特許文献３】特開２００２−１０１２２６号公報
【発明の開示】
【発明が解決しようとする課題】
【０００５】
ところで、動画像データは複数の静止画で構成され、たとえば映画やアニメーションのような動画像データには、暗いシーンから明るいシーンに切り替わる画面転換や激しくフラッシュするシーンなど、比較的周期性をもって画像の明暗が繰り返すシーンが含まれることが多い。このような動画像データをフーリエ変換すると、画面転換のようなシーンが現れる度に、高周波成分が検出できる。
例示した特許文献１，２が開示する方法は、上述したような比較的周期性をもって高周波成分が出現するような動画像データでも、全時間に対してフーリエ変換を行い、全周波数成分をデータとして伝送するため無駄が多く、効率のよいデータ伝送とは言い難い。
【０００６】
また、携帯電話機等をはじめとする無線通信端末で、動画像データを再生しながら転送することが頻繁に行われている。
この場合、例示した特許文献１〜３が開示する方法では、データを伝送する時間と、受信側においてデータを再生する時間軸が共通であるため、データの再生処理が転送処理よりも進むと、動画の再生が途中で停止し、次の動画がある程度バッファ等に蓄えられるまで再生できない欠点がある。
【０００７】
本発明は、効率よくデータを伝送し、途中で途切れることなくデータを円滑に再生するための送信装置および受信装置並びに通信システムを提供することにある。
【課題を解決するための手段】
【０００８】
本発明の第１の観点の送信装置は、送信すべきデータから所定パラメータの値を検出する検出部と、前記検出部が検出した前記パラメータにおいて、前記送信すべきデータの再生時間に対する勾配の大きさを求め、前記勾配の大きさが所定のしきい値を超えたタイミングを取得する取得部と、前記取得部が取得した前記タイミングから前記取得部が次に取得するタイミングまで、前記送信すべきデータの容量を低減する処理を施す送信前処理部と、前記送信前処理部によって処理が施された送信すべきデータを送信する送信部とを有する。
【０００９】
好適には、前記送信すべきデータは、動画像データであって、前記所定パラメータは、輝度レベルである。
【００１０】
好適には、前記取得部は、前記輝度レベルの勾配の大きさが前記所定のしきい値を超えた時点でのフレームを取得する。
【００１１】
好適には、前記送信前処理部は、前記送信すべきデータを周波数データに変換する。
【００１２】
好適には、前記送信前処理部は、画素単位で処理を行う。
【００１３】
本発明の第２の観点の受信装置は、送信装置が所定の処理を施し、送信したデータを受信する受信部と、前記受信部が受信したデータを、前記送信装置が施した所定の処理に対応した復元を行い、再生可能な処理を行う再生前処理部と、前記再生前処理部によって処理されたデータを再生する再生部とを有する受信装置であって、前記送信装置は、送信すべきデータから所定パラメータの値を検出する検出部と、前記検出部が検出した前記パラメータにおいて、前記送信すべきデータの再生時間に対する勾配の大きさを求め、前記勾配の大きさが所定のしきい値を超えたタイミングを取得する取得部と、前記取得部が取得したタイミングから前記取得部が次に取得するタイミングまで、前記送信すべきデータの容量を低減する処理を施す送信前処理部と、前記送信前処理部によって処理が施された送信すべきデータを送信する送信部とを有する。
【００１４】
本発明の第３の観点の通信システムは、送信装置と、受信装置とを有し、前記送信装置と前記受信装置とがネットワークに接続された通信システムであって、前記送信装置は、送信すべきデータから所定パラメータの値を検出する検出部と、前記検出部が検出した前記パラメータにおいて、前記送信すべきデータの再生時間に対する勾配の大きさを求め、前記勾配の大きさが所定のしきい値を超えたタイミングを取得する取得部と、前記取得部が取得したタイミングから前記取得部が次に取得するタイミングまで、前記送信すべきデータの容量を低減する処理を施す送信前処理部と、前記送信前処理部によって処理が施された送信すべきデータを送信する送信部とを有し、前記受信装置は、送信装置が所定の処理を施し、送信したデータを受信する受信部と、前記受信部が受信したデータを、前記送信装置が施した所定の処理に対応した復元を行い、再生可能な処理を行う再生前処理部と、前記再生前処理部によって処理されたデータを再生する再生部とを有する。
【発明の効果】
【００１５】
本発明によれば、効率よくデータを伝送し、途中で途切れることなくデータを円滑に再生するための送信装置および受信装置並びに通信システムを提供できる。
【発明を実施するための最良の形態】
【００１６】
以下、本発明の実施形態を図面に関連付けて説明する。
【００１７】
図１は、本実施形態に係る通信システムの一構成例を示す図である。図２は、本実施形態に係る送信装置および受信装置を有する携帯電話機の一構成例を示すブロック図である。
【００１８】
図１に示すように、通信システムとしてのネットワーク１は、本発明の実施形態に係る送信装置および受信装置を有する携帯電話機１０ａ、１０ｂ、基地局２０、サーバ装置３０およびネットワーク４０で構成されている。
【００１９】
図１に示すように、携帯電話機１０ａ、１０ｂは、基地局２０を介してネットワーク４０に接続されている。携帯電話機１０は、基地局２０を介してネットワーク４０に接続されているサーバ装置３０の制御にしたがって、音声通話、電子メールの作成とその送受信、ＷＥＢサイトやコンテンツデータ（たとえば動画像、静止画像）の閲覧等を行う機能を有する。
携帯電話機１０ａ、１０ｂが基地局２０との無線通信に使用する通信方式は、たとえばＴＤＭＡ（Time Division Multiple Access）方式が使用されるが、本実施形態に限定されない。
なお、以下の説明において、動画像は静止画像を含むものとし、その詳細については後述する。
【００２０】
基地局２０は、セル内に存在している携帯電話機等（図１では携帯電話機１０ａ、１０ｂ）と無線通信を行い、ネットワーク４０を介した中継を行う。
【００２１】
サーバ装置３０は、ネットワーク１に接続され、ネットワーク１を介して入出力される各種データ（たとえば音声データ、文字データ、動画像データ）を処理する。
【００２２】
次に、携帯電話機１０ａ、１０ｂの構成を図２に関連づけて説明する。携帯電話機等１０ａ、１０ｂは、それぞれ同様の構成であるため、図２の説明においては、携帯電話機１０ａについて説明する。
【００２３】
図２に示すように携帯電話機等１０ａは、アンテナ１１、通信部１２、変換部１３、制御部１４、記憶部１５、音声処理部１６、スピーカ１６１、マイクロフォン１６２、表示部１７、および操作部１８を有する。
通信部１２は、送信部１２１および受信部１２２で構成されている。
変換部１３は、デジタル・アナログ（Ｄ／Ａ）変換器１３１およびアナログ・デジタル（Ａ／Ｄ）変換器１３２で構成されている。
制御部１４は、検出部１４１、取得部１４２、送信前処理部としてのフーリエ変換部１４３およびデジタルフィルタ１４４、復調部としての逆フーリエ変換部１４５、および再生部１４６で構成されている。
検出部１４１，取得部１４２、フーリエ変換部１４３、デジタルフィルタ１４４および送信部１２１によって本発明に係る送信装置が構成されている。
受信部１２２、再生前処理部としての逆フーリエ変換部１４５および再生部１４６によって本発明に係る受信装置が構成されている。
【００２４】
アンテナ１１は、基地局２０からの電波信号を受信し、基地局２０に対し電波信号を送信する。
【００２５】
通信部１２は、通話等の音声データ、電子メール等の文字情報、動画像データ等のデータ通信を接続されている基地局２０との間で無線通信を行う。
詳細には、送信部１２１は、Ｄ／Ａ変換器１３１が出力した送信信号を所定の変調方式に変調し、アンテナ１１を介して電波信号として送信する。
受信部１２２は、アンテナ１１を介して受信した電波信号を変調方式に対応した復調を行ってＡ／Ｄ変換器１３２に受信信号として出力する。
【００２６】
本実施形態での復調方式には、たとえばＢＰＳＫ（Binary Phase Shift Keying）、ＱＰＳＫ（Quadrature Phase Shift Keying）、８ＰＳＫ（Phase Shift Keying）、１６ＱＡＭ（Quadrature phase Amplitude Modulation）、あるいは３２ＱＡＭが用いられる。
【００２７】
変換部１３は、通信部１２と制御部１４との間で入出力される信号をアナログまたはデジタルの信号に変換する。
詳細には、Ｄ／Ａ変換器１３１は、制御部１４が出力したデジタルの送信信号（後述するデジタルフィルタ１４４が出力した周波数データを含む）をアナログの送信信号に変換して送信部１２１に出力する。
Ａ／Ｄ変換器１３２は、受信部１２２からアナログの受信信号（後述する周波数データ）が入力されると、デジタルの受信信号に変換して制御部１４（後述する逆フーリエ変換部１４５）に出力する。
【００２８】
制御部１４は、携帯電話機１０ａの全般的な動作を統括的に制御する。すなわち、制御部１４は、携帯電話機１０ａの各種処理（ネットワーク４０を介して行われる音声通話、電子メールの作成とその送受信、ＷＥＢサイトの閲覧等の制御）がユーザによる操作部１８の操作に応じて適切な手順で実行されるように、各構成部の動作（通信部１２における電波信号の送受信、変換部１３、記憶部１５とのアクセス、音声処理部１６における音声の入出力、表示部１７における画像の表示等）を制御する。
制御部１４は、記憶部１５に格納されたプログラム（オペレーティングシステム、アプリケーションプログラム等）に基づいて処理を実行するコンピュータ（マイクロプロセッサ）を備えており、このプログラムにおいて指示された手順に従って上述した処理を実行することができる。すなわち、制御部１４は、記憶部１５に格納されたオペレーションシステムやアプリケーションプログラムから命令コードを順次読み込んで処理を実行することができる。
【００２９】
次に、記憶部１５に蓄積された動画像データを送信する場合の処理について、映画やアニメーション等の動画像データを例に挙げて説明する。このような動画像データにはシーンが切り替わる時など、急激に画面の明暗が変化する場面が数多くある。
このような動画像において、検出部１４１は、動画像データから輝度レベルを検出し、取得部１４２は、このような急激に画像の明暗が変化する動画像データ再生時のタイミング（時刻）を取得する。
【００３０】
検出部１４１および取得部１４２の動作を詳細に説明する前に、動画像データについて図３を参照しながら説明する。図３は、動画像データを説明するための図である。図３（Ａ）は、一枚のフレームを、図３（Ｂ）は、図３（Ａ）のフレームで構成された動画像データを示している。
【００３１】
動画像データは、データ容量を低減し、取り扱いを容易にするため、たとえばＭＰＥＧ(Moving Picture Experts Group)やＭＰＥＧ２などの規格によって符号化され、圧縮されていることが多い。以下、動画像データについて、音声データやヘッダ等を考慮せず、複数のカラー静止画像（静止画像を単に「フレーム」という）だけで動画像データが構成されているものと単純化して説明する。
【００３２】
図３（Ａ）に示すように、一枚のフレームＦＲＭは、所定の規格によって符号化され、動画像データの解像度に応じた（ｌ×ｍ）個の画素ＰＩＸ（ピクセル；pixel)で構成されている（ｌ、ｍはともに正の整数）。解像度は、画像フォーマットに依存するが、たとえばＭＰＥＧ規格の一例では、ｌ＝３５２、ｍ＝２４０である。
それぞれの画素ＰＩＸは、マトリクス状に配列され、Ｒ（赤）、Ｇ（緑）、Ｂ（青）の三原色（単にＲＧＢのように記す）の輝度レベルの情報が含まれ、それぞれのＲＧＢの輝度レベルは、たとえば２５６階調に量子化されている。
【００３３】
図３（Ｂ）に示すように、１枚のフレームＦＲＭには、１行（Ｙ軸方向）１列（Ｘ軸方向）目の画素ＰＩＸ（１，１）からｌ行ｍ列目の画素ＰＩＸ（ｌ、ｍ）までのＲＧＢの輝度レベルがそれぞれ含まれている。
動画像データは、動画像フォーマットや時間的長さに依存するｎ枚のフレームＦＲＭ１〜ＦＲＭｎで構成され、それぞれのフレームＦＲＭが時間に沿って連続して順に並べられている。
【００３４】
以下、検出部１４１および取得部１４２を図４に関連づけて説明する。図４は、本実施形態に係る検出部および取得部を説明するための図である。図４（Ａ）では、横軸に時間を、縦軸に輝度レベルの平均値をとり、図４（Ｂ）では、横軸に時間を、縦軸に輝度レベル勾配の大きさをとっている。
【００３５】
検出部１４１は、各フレームＦＲＭのすべての画素ＰＩＸについて、ＲＧＢの輝度レベル（本発明のパラメータに対応する）を個別に検出し、１枚のフレーム画像の明暗を判断するために、平均化等の処理を好適に行って、ＲＧＢすべてに対する輝度レベルの平均値を求める。
【００３６】
検出部１４１の処理結果の一例を図４（Ａ）に示す。（ｎ１）枚目のフレームＦＲＭｎ１において、輝度レベルの平均値が急激に減少している。画像の明暗は、ＲＧＢの混合比率に依存するが、上述の取得部１４２が処理した輝度レベルの平均値が高いほど画像が明るいものとすると、これは、フレームＦＲＭｎ１の前後において、明るい画像から暗い画像に切り替わったことを表す。
たとえば、１００枚目のフレームＦＲＭ１００において明るい画像から暗い画像に切り替わり、後述する再生部１４６が動画像データを２４ｆｐｓ（frame per second）で再生するものとすると、この時の動画像データ再生時の時間ｔ１は、およそ、ｔ１＝１００／２４ｆｐｓ≒４．２ｓである。
【００３７】
（ｎ２）枚目のフレームＦＲＭｎ２において、フレームＦＲＭｎ１の場合と逆に輝度レベルの平均値が急激に増加しているが、これは、フレームＦＲＭｎ２の前後において、暗い画像から明るい画像に切り替わったことを表す。
以上述べたように、輝度レベルは、画像の明暗が急激に変化する時、急激に変化する。
【００３８】
次に、輝度レベルが急激に変化したタイミングを取得する方法について説明する。
取得部１４２は、フレームＦＲＭ間でフレームＦＲＭごとに、時間（フレーム）に対する輝度レベルの平均値の勾配の大きさ（単に「輝度レベル勾配ΔＲＧＢ」という）を算出し、好適に設定されるしきい値Ｌｔｈと比較する。このときの処理結果を図４（Ｂ）に示す。
取得部１４３は、輝度レベル勾配ΔＲＧＢがしきい値Ｌｔｈより大きい場合に輝度レベルが急激に変化したと判断し、後述する送信前処理の開始または終了を合図する旨の制御信号Ｓ１４２を生成し、フーリエ変換部１４３およびデジタルフィルタ１４４に出力すると共に、動画像データＤＡＴをフーリエ変換部１４３に出力する。
【００３９】
たとえば、再生部１４６が、動画像データを２４ｆｐｓで再生するものとし、１００枚目のフレームＦＲＭ１００で輝度レベル勾配ΔＲＧＢの大きさがしきい値Ｌｔｈを超えたとすると、この時の動画像データ再生時の時間ｔ１は、およそｔ１＝１００／２４ｆｐｓ≒４．２ｓである。図４（Ｂ）に示す時刻ｔ２についても同様にして求まる。
このようにして、検出部１４１が輝度レベル勾配を求め、取得部１４２が輝度レベル勾配ΔＲＧＢとしきい値Ｌｔｈと比較し、輝度レベル勾配ΔＲＧＢがしきい値Ｌｔｈを超えた時点の動画像データ上の時刻（タイミング）を取得する。
【００４０】
フーリエ変換部１４３は、動画像データを効率よく伝送するために設けられ、送信部１２１が介して送信されるデータの処理を行う。
詳細には、フーリエ変換部１４３は、取得部１４２から制御信号Ｓ１４２を受けると、次に制御信号Ｓ１４２を受けるまで、あらかじめ設定されたサンプリング周期で、高速フーリエ変換を行い、動画像データを画素単位で周波数データ（スペクトルデータ）に変換する。
図４（Ｂ）を例にとり説明すると、フーリエ変換部１４３は、制御信号Ｓ１４２を受けた時刻ｔ１で動画像データに対して高速フーリエ変換を開始し、時刻ｔ２でその変換を終了する。このとき、フーリエ変換部１４３は、図３（Ｂ）に示すように、フレームＦＲＭごとに含まれる全画素ＰＩＸについて個別に高速フーリエ変換をおこなう。
本実施形態では、効率よくデータを伝送するために、送信データを周波数データに変換し、送信すべきデータの容量を低減している。
なお、本実施形態では、送信前処理部としてのフーリエ変換部１４３が行う処理は、動画像データの容量を低減し、送信可能な方法であればよく、フーリエ変換を行う場合には、動画像データを周波数データに変換できればよい。
【００４１】
デジタルフィルタ１４４は、取得部１４２から制御信号Ｓ１４２を受けると、フーリエ変換部１４３から動画像データが入力され、次に制御信号Ｓ１４２を受けるまで、データ特性に応じて、フーリエ変換部１４３によって周波数データに変換された動画像データの全周波数帯に広がるノイズ（たとえば白ノイズ）成分を除去し、除去後の周波数データをＤ／Ａ変換器１３１に出力する。この場合、一定レベル以下の周波数成分を除去するのが望ましい。
【００４２】
本実施形態では、フーリエ変換部１４３およびデジタルフィルタ１４４が実行する処理を送信前処理という。
【００４３】
逆フーリエ変換部１４５は、Ａ／Ｄ変換器１３２から周波数データが入力され、送信時にフーリエ変換部１４３によって変換された周波数データに対応した逆フーリエ変換を施し、元の動画像データに復元する再生前処理を行う。
【００４４】
再生部１４６は、記憶部１５から逐次動画像データを読み出し、動画像データのフォーマットに従って、所定のフレームレートで動画像データを再生する。このとき、再生部１４６が再生信号を表示部１７に供給することにより、表示部１７に動画像が表示される。
【００４５】
本実施形態では、高速に処理を実行するため、上述した検出部１４１、取得部１４２、フーリエ変換部１４３、デジタルフィルタ１４４、逆フーリエ変換部１４５および再生部１４６は、それぞれが独立して処理を行うハードウェアとして、制御部１４内部のコンピュータに好適に接続され配置されている。
コンピュータの性能やコスト等によっては、それぞれの処理をソフトウェアとしてコンピュータ内部で処理するようにしてもよいし、いずれか一部の処理のみをソフトウェアとして処理してもよく、好適に変更可能である。
【００４６】
記憶部１５は、たとえば不揮発性の記憶デバイス（フラッシュメモリ）やランダムアクセス可能な記憶デバイス（ＳＲＡＭ、ＤＲＡＭ）等で構成され、制御部１４においての処理に利用される各種のデータを記憶する。
記憶部１５が記憶するデータには、たとえば動画像、制御部１４を構成している各処理部の出力結果、制御部１４が実行するアプリケーションプログラム、プログラムの処理過程で利用される一時的なデータが含まれる。上記のデータには、使用者の個人情報、通話相手の名前や電話番号、電子メール等の文字情報、電話番号や個人データ等を管理するアドレス帳、着信音（着信メロディ）、音声メッセージ等の音声情報等も含まれる。
【００４７】
音声処理部１６は、スピーカ１６１に出力する音声信号やマイクロフォン１６２から入力された音声信号の処理を行う。すなわち、音声処理部１６は、マイクロフォン１６２から入力された音声を増幅し、アナログ・デジタル（Ａ／Ｄ）変換を行い、さらに符号化等の処理を施し、デジタルの音声データに変換して制御部１４に出力する。音声処理部１６は、制御部１４から供給された音声データに符号化、デジタル・アナログ（Ｄ／Ａ）変換、増幅等の信号処理を施し、アナログの音声信号に変換した上でスピーカ１６１に出力する。
【００４８】
表示部１７は、たとえば液晶表示パネルや有機ＥＬ（Electro-Luminescence）パネル等の表示デバイスで構成され、制御部１４または再生部１４６から供給された映像信号に応じた種々の情報を表示する。表示部１７が表示する情報には、たとえば発信時（着信時）における通話先の電話番号、電子メール等の文字情報、ＷＥＢサイト、動画像、日付等の時間情報、電池残量、発信成否、待ち受け画面等が含まれる。
【００４９】
操作部１８は、たとえば電源キー、通話キー、数字キー、文字キー、方向キー、決定キー、発信キーなど各種機能が割り当てられた複数のキーを有する。操作部１８は、これらのキーがユーザによって操作された場合、その操作内容に対応する信号を発生し、これをユーザの指示として制御部１４に出力する。
【００５０】
次に、携帯電話機１０ａの送信時の動作について図５および図６を参照しながら説明する。
図５は、本実施形態に係る送信装置の動作を説明するためのブロック図である。図６は、本実施形態に係る送信装置のフローチャートである。ただし、図５は、携帯電話機１０ａの送信時の動作に関係がある主要部のみを示している。
以下の説明では、携帯電話機１０ａが、あらかじめ記憶部１５に記憶されている動画像データを図１のネットワーク４０を介して携帯電話機１０ｂに送信するものとする。
【００５１】
（ステップＳＴ１１）
検出部１４１は、記憶部１５から動画像データＤＡＴを読み出し、急激に画像の明暗が変化する動画像データＤＡＴ上の時刻を取得する。
詳細には、検出部１４１は、各フレームＦＲＭのすべての画素ＰＩＸについて、ＲＧＢの輝度レベルを個別に検出し、１枚のフレーム画像の明暗を判断するために、平均化等の処理を好適に行って、ＲＧＢすべてに対する輝度レベルの平均値を求め、検出結果を取得部１４２に出力すると共に、動画像データＤＡＴも取得部１４２に出力する。
【００５２】
（ステップＳＴ１２）
取得部１４２は、検出部１４１が検出した輝度レベルの平均値から急激に画像の明暗が変化する動画像データＤＡＴ上の時刻を取得する。
詳細には、取得部１４２は、輝度レベル勾配ΔＲＧＢを算出し、好適に設定されるしきい値Ｌｔｈと比較する。取得部１４２は、輝度レベル勾配ΔＲＧＢがしきい値Ｌｔｈより大きい場合に輝度レベルが急激に変化したと判断し、送信前処理の開始または終了を合図する旨の制御信号Ｓ１４２を生成し、フーリエ変換部１４３およびデジタルフィルタ１４４に出力すると共に、動画像データＤＡＴをフーリエ変換部１４３に出力する。
【００５３】
（ステップＳＴ１３）
フーリエ変換部１４３は、送信前処理として、取得部１４２から制御信号Ｓ１４２を受けると、次に制御信号Ｓ１４２を受けるまで、あらかじめ設定されたサンプリング周期で、高速フーリエ変換を行い、動画像データＤＡＴを画素単位で周波数データＦｓ（ＤＡＴ）に変換し、デジタルフィルタ１４４に出力する。
【００５４】
（ステップＳＴ１４）
デジタルフィルタ１４４は、送信前処理として、取得部１４２から制御信号Ｓ１４２を受けると、フーリエ変換部１４３から周波数データＦｓ（ＤＡＴ）が入力され、次に制御信号Ｓ１４２を受けるまで、データ特性に応じて、フーリエ変換部１４３によって周波数データに変換された動画像データの全周波数帯に広がるノイズ（たとえば白ノイズ）成分を除去し、除去後の周波数データＦ（ＤＡＴ）をＤ／Ａ変換器１３１に出力する。
【００５５】
（ステップＳＴ１５）
ステップＳＴ１３およびＳＴ１４による送信前処理後、Ｄ／Ａ変換器１３１は、デジタルフィルタ１４４から入力されたデジタルの周波数データＦ（ＤＡＴ）をアナログに変換し、送信部１２１に出力する。
【００５６】
（ステップＳＴ１６）
送信部１２１は、Ｄ／Ａ変換器１３１から入力された周波数データＦ（ＤＡＴ）を所定の変調方式に変調し、アンテナ１１を介して電波信号として送信する。
その後は、ステップＳＴ１１〜ＳＴ１６を繰り返す。
【００５７】
以上詳細に説明したように、本実施形態に係る送信装置は、検出部１４１が動画像データから輝度レベルを検出し、取得部１４２が動画像データの再生時間に対する輝度レベルの勾配の大きさΔＲＧＢを求め、輝度レベルの勾配の大きさΔＲＧＢがしきい値Ｌｔｈを超えたタイミングを取得する。フーリエ変換部１４３およびデジタルフィルタ１４４が、このタイミングから次のタイミングまで、動画像データに高速フーリエ変換を行って周波数データに変換する処理を施し、フーリエ変換部１４３およびデジタルフィルタ１４４の処理が終了するごとに、送信部１２１が処理されたデータを一纏めにして送信する。
【００５８】
次に、携帯電話機１０ｂの受信時の動作について図７および図８を参照しながら説明する。
図７は、本実施形態に係る受信装置の動作を説明するためのブロック図である。図８は、本実施形態に係る受信装置のフローチャートである。ただし、図７は、携帯電話機１０ｂの受信時の動作に関係がある主要部のみを示している。
以下の説明では、携帯電話機１０ｂが、携帯電話機１０ａが送信した動画像データ（周波数データＦ（ＤＡＴ））をネットワーク４０を介して受信するものとする。
【００５９】
（ステップＳＴ２１）
受信部１２２は、アンテナ１１を介して受信した電波信号を変調方式に対応した復調を行ってＡ／Ｄ変換器１３２に出力する。
【００６０】
（ステップＳＴ２２）
Ａ／Ｄ変換器１３２は、受信部１２２から入力されたアナログの周波数データＦ（ＤＡＴ）をデジタルに変換し、逆フーリエ変換部１４５に出力する。
【００６１】
（ステップＳＴ２３）
逆フーリエ変換部１４５は、再生前処理として、Ａ／Ｄ変換器１３２から周波数データＦ（ＤＡＴ）が入力され、送信時にフーリエ変換部１４３によって変換された周波数データＦ（ＤＡＴ）に対応した逆フーリエ変換を施し、元の動画像データＤＡＴに復元し、一旦記憶部１５に格納する。
【００６２】
（ステップＳＴ２４）
再生部１４６は、記憶部１５から動画像データＤＡＴを逐次読み出し、動画像データのフォーマットに従って、所定のフレームレートで動画像データを再生する。このとき、再生部１４６は、再生信号を表示部１７に供給する。
【００６３】
（ステップＳＴ２５）
表示部１７は、再生部１４６からの再生信号に応じた表示を行う。これにより、動画像が表示される。
以後、受信部１２２が動画像データを受信するごとに、ステップＳＴ２１〜ステップＳＴ２５を繰り返す。
【００６４】
以上詳細に説明したように、本実施形態に係る受信装置は、受信部１２２が、フーリエ変換部１４３およびデジタルフィルタ１４４が所定の処理を施し、送信部１２１が送信したデータを受信する。そして、逆フーリエ変換部１４５は、受信部１２２が受信したデータを、フーリエ変換部１４３およびデジタルフィルタ１４４が施した所定の処理に対応して復元し、再生可能な処理を行う。その後、再生部１４６は、逆フーリエ変換部１４５によって処理されたデータを再生する。
【００６５】
本実施形態によれば、動画像データの輝度レベルが急激に変化する時間間隔で一纏めにしてデータを送信するため、動画像データ上の時間軸と通信時の時間軸とを分離でき、効率よくデータを伝送し、データ処理速度が遅くとも、途中で途切れることなくデータを円滑に再生できる。
特に、画像の明暗が周期的に変化する動画像データでは、データ容量を低減でき、本実施形態が有効である。
また、動画像の前画面と次画面との画像の相関関係を利用することができる。
【００６６】
以上詳細に説明した方法は、上記手順に応じたプログラムとして形成し、ＣＰＵ等のコンピュータで実行するように構成することも可能である。
また、このようなプログラムは、半導体メモリ、磁気ディスク、光ディスク、フロッピー（登録商標）ディスク等の記録媒体、この記録媒体をセットしたコンピュータによりアクセスし上記プログラムを実行するように構成可能である。
【００６７】
本発明に係る送信装置および受信装置は、たとえばＰＨＳ（Personal Handy-phone System）、無線通信用インターフェースを有するモバイル機器や（ノート型）パーソナルコンピュータ等の通信機器にも採用できる。本発明に係る送信装置および受信装置をネットワークに有線接続されたパーソナルコンピュータ等に採用してもよいが、無線通信を行う通信機器に採用する方がより望ましい。
【００６８】
本実施形態に係るデータは、モノクロ動画像データや音声データであってもよく、本実施形態は、本発明が適用可能な範囲で好適に変更可能である。
【図面の簡単な説明】
【００６９】
【図１】実施形態に係る通信システムの一構成例を示す図である。
【図２】実施形態に係る送信装置および受信装置を有する携帯電話機の一構成例を示すブロック図である。
【図３】実施形態に係る動画像データを説明するための図である。
【図４】実施形態に係る取得部を説明するための図である
【図５】実施形態に係る送信装置の動作を説明するためのブロック図である。
【図６】実施形態に係る送信装置のフローチャートである。
【図７】実施形態に係る受信装置の動作を説明するためのブロック図である
【図８】実施形態に係る受信装置のフローチャートである。
【符号の説明】
【００７０】
１０ａ、１０ｂ…携帯電話機、２０…基地局、３０…サーバ装置、４０…ネットワーク、１１…アンテナ、１２…通信部、１２１…送信部、１２２…受信部、１３…変換部、１３１…デジタル・アナログ（Ｄ／Ａ）変換器、１３２…アナログ・デジタル（Ａ／Ｄ）変換器、１４…制御部、１４１…検出部、１４２…取得部、１４３…フーリエ変換部、１４４…デジタルフィルタ、１４５…逆フーリエ変換部、１４６…再生部、１５…記憶部、１６…音声処理部、１６１…スピーカ、１６２…マイクロフォン、１７…表示部、１８…操作部。
【図１】
2009206687.tif 000003
【図２】
2009206687.tif 000004
【図３】
2009206687.tif 000005
【図４】
2009206687.tif 000006
【図５】
2009206687.tif 000007
【図６】
2009206687.tif 000008
【図７】
2009206687.tif 000009
【図８】
2009206687.tif 000010